(57)【要約】【課題】データ通信ケーブルを用いたデータ通信の終了が容易にわかるようにするとともに、ケーブルの破損を防止する。【解決手段】本発明に係るプリント装置１によれば、ケーブル２を介してデジタルカメラ３からの通信終了コマンドが受信されると、イジェクト部１４によりケーブル２のプラグ２１がプラグ差込口１５ａからイジェクトされる。【選択図】  図２
2004281244.tif 000002
【特許請求の範囲】
【請求項１】
プラグを差し込むプラグ差込口を備えた電子機器において、
前記プラグ差込口に差し込まれたプラグを前記プラグ差込口からイジェクトするイジェクト部と、
前記イジェクト部の動作を制御する制御部と、
を備えたことを特徴とする電子機器。
【請求項２】
前記プラグはデータ通信ケーブルに電気的に接続されており、
前記制御部は、前記データ通信ケーブルを介して通信終了コマンドを受信した際に、前記イジェクト部が前記プラグ差込口に差し込まれたプラグを前記プラグ差込口からイジェクトするように制御することを特徴とする請求項１に記載の電子機器。
【請求項３】
前記プラグはデータ通信ケーブルに電気的に接続されており、
前記制御部は、前記データ通信ケーブルを介して通信終了コマンドを受信した後所定時間が経過しても次の通信が開始されない場合に、前記イジェクト部が前記プラグ差込口に差し込まれたプラグを前記プラグ差込口からイジェクトするように制御することを特徴とする請求項１又は２に記載の電子機器。
【請求項４】
プラグ差込口を備えた電子機器に差込可能なプラグであって、
外部からの制御に応じて前記プラグ差込口に差し込まれたプラグを前記プラグ差込口からイジェクトするイジェクト部を備えたことを特徴とするプラグ。
【請求項５】
前記プラグはデータ通信ケーブルに電気的に接続されており、
前記イジェクト部は、当該データ通信ケーブルを介して通信終了コマンドが受信先の電子機器に受信された際に、前記受信先の電子機器からの制御に応じて前記プラグ差込口に差し込まれたプラグを前記プラグ差込口からイジェクトすることを特徴とする請求項４に記載のプラグ。
【請求項６】
前記プラグはデータ通信ケーブルに電気的に接続されており、
前記イジェクト部は、当該データ通信ケーブルを介してデータ受信先の電子機器により通信終了コマンドが受信された後所定時間が経過しても次の通信が開始されない場合に、前記データ受信先の電子機器から送信される制御信号に基づいて、前記プラグ差込口に差し込まれたプラグを前記プラグ差込口からイジェクトすることを特徴とする請求項４又は５に記載のプラグ。
【請求項７】
前記制御部は、請求項４〜６の何れか一項に記載のプラグが前記プラグ差込口に差し込まれた場合、前記電子機器のイジェクト部が前記プラグのイジェクト部に対して優先的にイジェクト動作を行うように制御することを特徴とする請求項１〜３何れか一項に記載の電子機器。
【請求項８】
データ通信ケーブルに電気的に接続されたプラグを差し込むプラグ差込口を備えた電子機器において、
前記データ通信ケーブルを介して通信終了コマンドを受信した際に、前記プラグ差込口に差し込まれたプラグをイジェクトする動作をユーザに促すための警告を発する警告部を備えたことを特徴とする電子機器。
【請求項９】
前記警告部は、前記データ通信ケーブルを介して通信終了コマンドを受信した後、所定時間が経過しても次の通信が開始されない場合に、前記プラグ差込口に差し込まれたプラグを前記プラグ差込口からイジェクトする動作をユーザに促すための警告を発することを特徴とする請求項８に記載の電子機器。
【請求項１０】
電源供給線を有するデータ通信ケーブルに電気的に接続されたプラグを差し込むプラグ差込口を備え、前記データ通信ケーブルを介して電源供給を受ける電子機器において、
前記データ通信ケーブルを介しての電源供給が切れた場合に、前記プラグ差込口に差し込まれたプラグを前記プラグ差込口からイジェクトするイジェクト部を備えたことを特徴とする電子機器。
【請求項１１】
データ通信ケーブルを介して外部の電子機器に接続された電子機器において、前記電子機器に備えられたプラグ差込口に差し込まれた前記データ通信ケーブルのプラグをイジェクトする第１のイジェクト部、前記外部の電子機器に備えられたプラグ差込口に差し込まれた前記データ通信ケーブルのプラグをイジェクトする前記外部の電子機器に備えられた第２のイジェクト部、前記データ通信ケーブルのプラグに備えられた第３のイジェクト部のうち、少なくとも一つのイジェクト部がイジェクトを行うように制御する制御部を備えたことを特徴とする電子機器。
【請求項１２】
前記制御部は、前記データ通信ケーブルを介して通信終了コマンドを受信した際に、前記第１〜第３の少なくとも一つのイジェクト部がイジェクトを行うように制御することを特徴とする請求項１１に記載の電子機器。
【請求項１３】
前記制御部は、前記データ通信ケーブルを介して通信終了コマンドを受信した後所定時間が経過しても次の通信が開始されない場合に、前記第１〜第３の少なくとも一つのイジェクト部がイジェクトを行うように制御することを特徴とする請求項１１に記載の電子機器。
【請求項１４】
前記制御部は、前記データ通信ケーブルを介して前記外部の電子機器に送信要求があるか否かを問い合わせた後所定時間が経過しても前記外部の電子機器からの応答が受信されない場合に、前記第１〜第３の少なくとも一つのイジェクト部がイジェクトを行うように制御することを特徴とする請求項１１に記載の電子機器。
【請求項１５】
前記データ通信ケーブルは、電源供給線を有しており、
前記電源供給線に流れる電流を検出する電流検出部を備え、
前記制御部は、所定時間前記電流検出部により前記電源供給線からの電流が消費されていないことが検出された場合に、前記第１〜第３の少なくとも一つのイジェクト部がイジェクトを行うように制御することを特徴とする請求項１１に記載の電子機器。
【請求項１６】
前記データ通信ケーブルを介して前記外部の電子機器からイジェクトコマンドを受信した際に、前記第１〜第３の少なくとも一つのイジェクト部がイジェクトを行うように制御することを特徴とする請求項１１に記載の電子機器。
【発明の詳細な説明】
【０００１】
【発明の属する技術分野】
本発明は、データ通信ケーブル等のプラグをその差込口からイジェクトする機構を備えた電子機器及びプラグに関する。
【０００２】
【従来の技術】
一般的に、デジタルカメラにより撮像された画像データは、ＵＳＢ（Ｕｎｉｖｅｒｓａｌ  Ｓｅｒｉａｌ  Ｂｕｓ）等のデータ通信ケーブルを介して、あるいはメモリカード等の記録媒体を介してパソコン等に入力され、プリントする画像データ選択やプリント条件等の設定したのち、プリンタ等でプリントが行われている。また、デジタルカメラから、特許文献１に示すような画像形成システム等に画像データを入力する際においても、同様にデータ通信ケーブル或いは記録媒体を介して入力されるのが一般的である。
【０００３】
また、近年、パソコン等を介さずにデジタルカメラをコネクタ接続等により直接プリンタやプリント装置に接続して画像データを送信し、プリントアウトするダイレクトプリントも行われている。このデジタルカメラとプリンタとの接続は、デジタルカメラの電源を入れたまま行うことが可能であるので、データを破壊したりカメラ本体を壊すといった危険が存在していた。そこで、特許文献２には、デジタルカメラの電源がＯＦＦしているときにのみコネクタカバーを開けてプリンタと接続することを許可するデジタルカメラにおける制御システムが開示されている。
【０００４】
【特許文献１】
特開平１１−２７５５０１号公報
【特許文献２】
特開平１１−２３９３１２号公報
【０００５】
【発明が解決しようとする課題】
しかしながら、デジタルカメラからデータ通信用のケーブル（以下、ケーブルという）を介してパソコンやプリント装置等に画像データを入力する場合、ユーザは通信がいつ終了したのかを知ることができず、ケーブルをはずすタイミングがわかりづらいという問題があった。また、ケーブルのコード部分を手でつかんでデジタルカメラやプリント装置から引き抜くことにより、プラグとコードとの接続部分に断線等の故障が発生するといった問題もあった。
【０００６】
本発明の課題は、データ通信ケーブルを用いたデータ通信の終了が容易にわかるようにするとともに、ケーブルの破損を防止することである。
【０００７】
【課題を解決するための手段】
上記課題を解決するため、請求項１に記載の発明において、
プラグを差し込むプラグ差込口を備えた電子機器において、
前記プラグ差込口に差し込まれたプラグを前記プラグ差込口からイジェクトするイジェクト部と、
前記イジェクト部の動作を制御する制御部と、
を備えたことを特徴としている。
【０００８】
請求項１に記載の発明の電子機器によれば、プラグ差込口に差し込まれたプラグをプラグ差込口からイジェクトするイジェクト部と、イジェクト部の動作を制御する制御部とを備えている。従って、イジェクト部を制御して差し込まれたプラグを自動的にイジェクトするので、ケーブルのコード部分を手でつかんで電子機器から引き抜くことがなくなり、ケーブルの破損を防止することができる。
【０００９】
請求項２に記載の発明は、請求項１に記載の発明において、
前記プラグは、データ通信ケーブルに備えられたプラグであり、
前記制御部は、前記データ通信ケーブルを介して通信終了コマンドを受信した際に、前記イジェクト部が前記プラグ差込口に差し込まれたプラグを前記プラグ差込口からイジェクトするように制御することを特徴としている。
【００１０】
請求項２に記載の発明によれば、データ通信ケーブルを介して通信終了コマンドを受信した際に、イジェクト部がプラグ差込口に差し込まれた該データ通信ケーブルのプラグをプラグ差込口からイジェクトするように制御する。従って、プラグがイジェクトされることでユーザは通信の終了を容易に認識することができ、ケーブルをはずすタイミングがわかりづらいといった問題も解消される。
【００１１】
請求項３に記載の発明は、請求項１又は２に記載の発明において、
前記プラグは、データ通信ケーブルに備えられたプラグであり、
前記制御部は、前記データ通信ケーブルを介して通信終了コマンドを受信した後所定時間が経過しても次の通信が開始されない場合に、前記イジェクト部が前記プラグ差込口に差し込まれたプラグを前記プラグ差込口からイジェクトするように制御することを特徴としている。
【００１２】
請求項３に記載の発明によれば、データ通信ケーブルを介して通信終了コマンドを受信した後所定時間が経過しても次の通信が開始されない場合に、イジェクト部がプラグ差込口に差し込まれた該データ通信ケーブルのプラグをプラグ差込口からイジェクトするように制御する。従って、データ通信ケーブルを介して複数の通信を続けて行いたい場合に、１回の通信が終了する毎にデータ通信ケーブルのプラグが電子機器からイジェクトされることがなくなり、使い勝手が向上する。
【００１３】
請求項４に記載の発明は、
プラグ差込口を備えた電子機器に差込可能なプラグであって、
外部からの制御に応じて前記プラグ差込口に差し込まれたプラグを前記プラグ差込口からイジェクトするイジェクト部を備えたことを特徴としている。
【００１４】
請求項４に記載の発明のプラグによれば、外部からの制御に応じて電子機器のプラグ差込口に差し込まれたプラグをプラグ差込口からイジェクトする。従って、外部からの制御により差し込まれたプラグを自動的にイジェクトするので、ケーブルのコード部分を手でつかんで電子機器から引き抜くことがなくなり、ケーブルの破損を防止することができる。
【００１５】
請求項５に記載の発明は、請求項４に記載の発明において、
前記プラグは、データ通信ケーブルに備えられたプラグであり、
前記イジェクト部は、当該データ通信ケーブルを介して通信終了コマンドが受信先の電子機器に受信された際に、前記受信先の電子機器からの制御に応じて前記プラグ差込口に差し込まれたプラグを前記プラグ差込口からイジェクトすることを特徴としている。
【００１６】
請求項５に記載の発明によれば、データ通信ケーブルを介して通信終了コマンドが受信先の電子機器に受信された際に、受信先の電子機器からの制御に応じてプラグ差込口に差し込まれたデータ通信ケーブルのプラグをプラグ差込口からイジェクトする。従って、プラグがイジェクトされることでユーザは通信の終了を容易に認識することができ、ケーブルをはずすタイミングがわかりづらいといった問題も解消される。
【００１７】
請求項６に記載の発明は、請求項４又は５に記載の発明において、
前記プラグは、データ通信ケーブルに備えられたプラグであり、
前記イジェクト部は、当該データ通信ケーブルを介してデータ受信先の電子機器により通信終了コマンドが受信された後所定時間が経過しても次の通信が開始されない場合に、前記データ受信先の電子機器から送信される制御信号に基づいて、前記プラグ差込口に差し込まれたプラグを前記プラグ差込口からイジェクトすることを特徴としている。
【００１８】
請求項６に記載の発明によれば、データ通信ケーブルを介してデータ受信先の電子機器により通信終了コマンドが受信された後所定時間が経過しても次の通信が開始されない場合に、データ受信先の電子機器から送信される制御信号に基づいて、プラグ差込口に差し込まれたデータ通信ケーブルのプラグをプラグ差込口からイジェクトする。従って、データ通信ケーブルを介して複数の通信を続けて行いたい場合に、１回の通信が終了する毎にデータ通信ケーブルのプラグが電子機器からイジェクトされることがなくなり、使い勝手が向上する。
【００１９】
請求項７に記載の発明は、請求項１〜３の何れか一項に記載の発明において、前記制御部は、請求項４〜６の何れか一項に記載のプラグが前記プラグ差込口に差し込まれた場合、前記電子機器のイジェクト部が前記プラグのイジェクト部に対して優先的にイジェクト動作を行うように制御することを特徴としている。
【００２０】
請求項７に記載の発明によれば、請求項４〜６の何れか一項に記載のプラグがプラグ差込口に差し込まれた場合、電子機器のイジェクト部がプラグのイジェクト部に対して優先的にイジェクト動作を行うように制御する。従って、プラグと電子機器の双方でイジェクト機構を有する場合と、プラグにイジェクト機構を有していない場合とで制御を区別する必要がなくなる。
【００２１】
請求項８に記載の発明は、
データ通信ケーブルに備えられたプラグを差し込むプラグ差込口を備えた電子機器において、
前記データ通信ケーブルを介して通信終了コマンドを受信した際に、前記プラグ差込口に差し込まれたプラグをイジェクトする動作をユーザに促すための警告を発する警告部を備えたことを特徴としている。
【００２２】
請求項８に記載の発明によれば、データ通信ケーブルを介して通信終了コマンドを受信した際に、プラグ差込口に差し込まれたデータ通信ケーブルのプラグをイジェクトする動作をユーザに促すための警告を発する。従って、ユーザは通信の終了を容易に認識することができ、ケーブルをはずすタイミングがわかりづらいといった問題も解消される。
【００２３】
請求項９に記載の発明は、請求項８に記載の発明において、
前記警告部は、前記データ通信ケーブルを介して通信終了コマンドを受信した後、所定時間が経過しても次の通信が開始されない場合に、前記プラグ差込口に差し込まれたプラグを前記プラグ差込口からイジェクトする動作をユーザに促すための警告を発することを特徴としている。
【００２４】
請求項９に記載の発明によれば、データ通信ケーブルを介して通信終了コマンドを受信した後、所定時間が経過しても次の通信が開始されない場合に、プラグ差込口に差し込まれたデータ通信ケーブルのプラグをプラグ差込口からイジェクトする動作をユーザに促すための警告を発する。従って、データ通信ケーブルを介して複数の通信を続けて行いたい場合に、１回の通信が終了する毎に警告が発せられることがなくなり、使い勝手が向上する。
【００２５】
請求項１０に記載の発明は、
電源供給線を有するデータ通信ケーブルに電気的に接続されたプラグを差し込むプラグ差込口を備え、前記データ通信ケーブルを介して電源供給を受ける電子機器において、
前記データ通信ケーブルを介しての電源供給が切れた場合に、前記プラグ差込口に差し込まれたプラグを前記プラグ差込口からイジェクトするイジェクト部を備えたことを特徴としている。
【００２６】
請求項１０に記載の発明によれば、データ通信ケーブルを介して電源供給を受ける電子機器において、データ通信ケーブルを介しての電源供給が切れた場合に、差し込まれたプラグをプラグ差込口から自動的にイジェクトする。従って、電源供給が切れた場合は通信が行われないものとみなしてイジェクト部を制御して差し込まれたプラグを自動的にイジェクトするので、ケーブルのコード部分を手でつかんで電子機器から引き抜くことがなくなり、ケーブルの破損を防止することができる。
【００２７】
請求項１１に記載の発明は、
データ通信ケーブルを介して外部の電子機器に接続された電子機器において、前記電子機器に備えられたプラグ差込口に差し込まれた前記データ通信ケーブルのプラグをイジェクトする第１のイジェクト部、前記外部の電子機器に備えられたプラグ差込口に差し込まれた前記データ通信ケーブルのプラグをイジェクトする前記外部の電子機器に備えられた第２のイジェクト部、前記データ通信ケーブルのプラグに備えられた第３のイジェクト部のうち、少なくとも一つのイジェクト部がイジェクトを行うように制御する制御部を備えたことを特徴としている。
【００２８】
請求項１１に記載の発明によれば、データ通信ケーブルのプラグが電子機器から自動的にイジェクトされるように制御するので、ケーブルのコード部分を手でつかんで電子機器から引き抜くことがなくなり、ケーブルの破損を防止することができる。
【００２９】
請求項１２に記載の発明は、請求項１１に記載の発明において、
前記制御部は、前記データ通信ケーブルを介して通信終了コマンドを受信した際に、前記第１〜第３の少なくとも一つのイジェクト部がイジェクトを行うように制御することを特徴としている。
【００３０】
請求項１２に記載の発明によれば、データ通信ケーブルを介して通信終了コマンドを受信した際に、イジェクトを行うように制御する。従って、プラグがイジェクトされることでユーザは通信の終了を容易に認識することができ、ケーブルをはずすタイミングがわかりづらいといった問題も解消される。
【００３１】
請求項１３に記載の発明は、請求項１１に記載の発明において、
前記制御部は、前記データ通信ケーブルを介して通信終了コマンドを受信した後所定時間が経過しても次の通信が開始されない場合に、前記第１〜第３の少なくとも一つのイジェクト部がイジェクトを行うように制御することを特徴としている。
【００３２】
請求項１３に記載の発明によれば、データ通信ケーブルを介して通信終了コマンドを受信した後所定時間が経過しても次の通信が開始されない場合に、イジェクトを行うように制御する。従って、データ通信ケーブルを介して複数の通信を続けて行いたい場合に、全ての通信が終了した後にデータ通信ケーブルのプラグが自動的にイジェクトされるので、使い勝手が向上する。
【００３３】
請求項１４に記載の発明は、請求項１１に記載の発明において、
前記制御部は、前記データ通信ケーブルを介して前記外部の電子機器に送信要求があるか否かを問い合わせた後所定時間が経過しても前記外部の電子機器からの応答が受信されない場合に、前記第１〜第３の少なくとも一つのイジェクト部がイジェクトを行うように制御することを特徴としている。
【００３４】
請求項１４に記載の発明によれば、データ通信ケーブルを介して外部の電子機器に送信要求があるか否かを問い合わせた後所定時間が経過しても外部の電子機器からの応答が受信されない場合に、少なくとも一つのイジェクト部がイジェクトを行うように制御する。従って、所定時間通信が行われない時にプラグを自動的にイジェクトすることができる。
【００３５】
請求項１５に記載の発明は、請求項１１に記載の発明において、
前記データ通信ケーブルは、電源供給線を有しており、
前記電源供給線に流れる電流を検出する電流検出部を備え、
前記制御部は、所定時間前記電流検出部により前記電源供給線からの電流が消費されていないことが検出された場合に、前記第１〜第３の少なくとも一つのイジェクト部がイジェクトを行うように制御することを特徴としている。
【００３６】
請求項１５に記載の発明によれば、所定時間電流検出部により電源供給線からの電流が消費されていないことが検出された場合に、イジェクトを行うように制御する。従って、相手先が動作していないときには通信が行われていないものとみなしてプラグを自動的にイジェクトすることができる。
【００３７】
請求項１６に記載の発明は、請求項１１に記載の発明において、
前記データ通信ケーブルを介して前記外部の電子機器からイジェクトコマンドを受信した際に、前記第１〜第３の少なくとも一つのイジェクト部がイジェクトを行うように制御することを特徴としている。
【００３８】
請求項１６に記載の発明によれば、データ通信ケーブルを介して外部の電子機器からイジェクトコマンドを受信した際に、イジェクトを行うように制御する。従って、外部機器において通信後すぐに他の動作に入る場合に、外部機器側からイジェクトを行うことができる。
【００３９】
【発明の実施の形態】
〔第１の実施の形態〕
以下、図を参照して本発明の第１の実施の形態を詳細に説明する。
まず、構成を説明する。
図１に、プリント装置１の外観を示す。プリント装置１は、例えば、写真店や街角等に設置され、デジタルカメラ３からケーブル２を介して入力された画像データのうち、ユーザから指示された画像を写真プリントして出力するプリントサービスを提供する装置である。図１に示すように、プリント装置１には、所定金額を支払うためのコイン挿入口１９ａ、出力された写真を受け取るプリント受取口１８ａ、表面がタッチパネルにより構成され、プリントする画像、プリント条件等を入力するための表示画面１３ａ、デジタルカメラ３からのデータを伝送するケーブル２のプラグ２１を差し込むためのプラグ差込口１５ａが設けられている。
【００４０】
図２に、プリント装置１内部の要部構成を示す。図２に示すように、プリント装置１は、コントローラ１１、電源スイッチ１２、操作表示部１３、イジェクト部１４、コネクタ部１５、信号インターフェース１６、画像処理部１７、プリント部１８及び金銭管理部１９等により構成されている。
【００４１】
コントローラ１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、各部に電流を供給する電源回路等を含んで構成される。コントローラ１１のＣＰＵは、ＲＯＭに記憶されているシステムプログラムや各種処理プログラムを読み出してＲＡＭ内に展開し、展開されたプログラムに従って、プリント装置１各部の動作を集中制御するとともに、後述するイジェクト処理Ａ、Ｂを始めとする各種処理を実行する。
【００４２】
電源スイッチ１２は、その押下操作に応じて電源のＯＮ／ＯＦＦを切り替える。
操作表示部１３は、ＬＣＤ（Ｌｉｑｕｉｄ  Ｃｒｙｓｔａｌ  Ｄｉｓｐｌａｙ）により構成され、コントローラ１１から入力される表示信号の指示に従って表示画面１３ａ上に各種操作ボタン、装置の状態表示、各機能の動作状況、デジタルカメラ３から入力された画像データ、プリント条件等の各種設定画面等の表示を行う。ＬＣＤの表示画面上は、透明電極を格子状に配置して構成された感圧式（抵抗膜圧式）のタッチパネルに覆われており、手指やタッチペン等で押下された力点のＸＹ座標を電圧値で検出し、検出された位置信号を操作信号としてコントローラ１１に出力する。
【００４３】
イジェクト部１４は、係止片１４ａ、１４ｂ、１４ｃ、バネ１４ｄ、支持部１４ｅ、バネ１４ｆ及び電磁石１４ｇにより構成され、コントローラ１１からの指示に基づいてコネクタ部１５のプラグ差込口１５ａに差し込まれたプラグ２１をイジェクトする。
【００４４】
ここで、イジェクト部１４の構成及びイジェクト動作について図２を参照して説明する。
まず、プラグ２１を矢印Ａに示すプラグ差し込み方向へ移動させると、係止片１４ａがプラグ２１の働きにより支持部１４ｅに沿ってプラグ差し込み方向と平行に移動する。すると、係止片１４ｂも同様にプラグ差し込み方向に移動する。このとき、係止片１４ｂは、金属からなる係止片１４ｃを押し下げながら移動する。プラグ２１が完全に差し込まれると、図２に示す状態となり、係止片１４ｂは係止片１４ｃを完全に通過し、係止片１４ｃはバネ１４ｆの働きによって元の位置に戻る。この元の位置に復帰した係止片１４ｃにより係止片１４ｂは係止され、これにより係止片１４ａ及び１４ｂの位置は保持され、プラグ２１は差し込まれた状態で保持される。
【００４５】
コントローラ１１から電磁石１４ｇに電力が供給されると、係止片１４ｃは電磁石１４ｇに引き付けられ、これにより係止片１４ｂへ係止が解除され、係止片１４ａ及び係止片１４ｂはバネ１４ｄの付勢力によりプラグ２１の差し込み方向とは逆方向へ移動する。この係止片１４ａの動きにより、プラグ２１はプラグ差込口１５ａからイジェクトされる。
【００４６】
コネクタ部１５は、プラグ差込口１５ａを有しており、プラグ２１がプラグ差込口１５ａに差し込まれることによりケーブル２と接続し、データの送受信を行う。また、コネクタ部１５にはプラグ２１と接触を検知する図示しないセンサが設けられており、このセンサは、プラグ２１との接触を検知するとコントローラ１１に検知信号を出力する。
【００４７】
信号インターフェース１６は、ケーブル２を介して受信されたデータをプリント装置１でデータ処理可能なデータ形式に変換する。
【００４８】
画像処理部１７は、ケーブル２を介して受信された画像データに対して、操作表示部１３により入力されたプリント条件（枚数、出力画像の大きさ、トリミング領域、色／濃度補正等）の指示に従って画像処理を施して、その画像処理した画像をプリント部１８に出力する。
【００４９】
プリント部１８は、画像処理部１７から入力された画像データに応じて変調した光ビームで感光材料（印画紙）を走査露光して潜像を記録し、露光済みの感光材料に湿式の現像処理や乾燥処理を施して、仕上がりプリントとしてプリント受取口１８ａに出力する。
【００５０】
金銭管理部１９は、コイン挿入部１９ａ、図示しないコイン識別部、コイン収納部、つり銭出力部等を備え、コイン挿入部１９ａから挿入されたコインを識別し、識別信号をコントローラ１１へ出力する。
【００５１】
次に、コントローラ１１により実行されるイジェクト処理Ａについて説明する。図３に、イジェクト処理Ａのフローチャートを示す。
【００５２】
プラグ２１がプラグ差込口１５ａに差し込まれ（ステップＳ１；ＹＥＳ）、ケーブル２を介してコネクタ部１５により通信開始コマンドが受信されると（ステップＳ２；ＹＥＳ）、通信終了コマンドの受信が待機され、通信終了コマンドが受信されると（ステップＳ３；ＹＥＳ）、イジェクト部１４の電磁石１４ｇに電流が供給され、イジェクト部１４によりプラグ２１がイジェクトされる（ステップＳ５）。
【００５３】
一方、プラグ２１がプラグ差込口に差し込まれた後、通信開始コマンドが受信されず（ステップＳ２；ＮＯ）、操作表示部１３によりイジェクトの指示が入力されると（ステップＳ４；ＹＥＳ）、イジェクト部１４の電磁石１４ｇに電流が供給され、イジェクト部１４によりプラグ２１がイジェクトされる（ステップＳ５）。なお、操作表示部１３からのイジェクト指示は、通信中はロックされ、入力不可能となっている。
【００５４】
以上説明したように、プリント装置１によれば、ケーブル２を介してデジタルカメラ３からの通信終了コマンドが受信されると、イジェクト部１４によりケーブル２のプラグ２１をプラグ差込口１５ａからイジェクトする。従って、ユーザは通信の終了を容易に認識することができるとともに、コード２２をつかんでプリント装置１からプラグ２１を引き抜くことによるケーブル２の破損を防止することができる。また、プラグ２１を抜くのを忘れてデジタルカメラ３を移動させようとしてコードがちぎれたりデジタルカメラ３が破損したりするのを防止することができる。更に、写真店等においては、顧客がデータ通信終了後、遅滞なく次の顧客に交替するので、顧客の回転率が向上する。
【００５５】
なお、写真店等において、１回の注文毎、即ち１回の通信が終了する毎にイジェクトすることは、混み合った場合等に後の顧客を長時間待たせることがなくなり、顧客の回転率を上げることができるので好ましいが、一方で、一人の顧客から複数の注文を受ける場合、即ちプラグ２１を差し込んだ後複数の通信を行う必要がある場合は、通信が終了する毎にイジェクトすると、プリント装置１の動作及びユーザの操作も煩雑となる。そこで、通信終了後、所定時間経過しても新たな通信がない場合に、警告してイジェクトするようにコントローラ１１により制御するようにしてもよい。
【００５６】
以下、本実施の形態の変形例として、図４を参照してコントローラ１１により実行されるイジェクト処理Ｂについて説明する。
プラグ２１がプラグ差込口１５ａに差し込まれ（ステップＳ１１；ＹＥＳ）、ケーブル２を介してコネクタ部１５により通信開始コマンドが受信されると（ステップＳ１２；ＹＥＳ）、通信終了コマンドの受信が待機され、通信終了コマンドが受信されると（ステップＳ１４；ＹＥＳ）、コントローラ１１内のタイマにより計時が開始される（ステップＳ１５）。操作表示部１３の操作によりイジェクトが指示されると（ステップＳ１６；ＹＥＳ）、処理はステップＳ２２に移行し、イジェクト部１４の電磁石１４ｇに電流が供給され、イジェクト部１４によりプラグ２１がイジェクトされる。
【００５７】
ステップＳ１６でイジェクトが指示されることなく、通信開始コマンドが受信されると（ステップＳ１７；ＹＥＳ）、処理はステップＳ１４に戻り、以降の処理が実行される。通信開始コマンドが受信されず（ステップＳ１７；ＮＯ）、通信終了後所定時間が経過した場合（ステップＳ１８；ＹＥＳ）、操作表示部１３によりイジェクトを行う旨の警告が表示される（ステップＳ１９）。操作表示部１３によりイジェクトを許可する指示が入力されると（ステップＳ２０；ＹＥＳ）、処理はステップＳ２２に移行し、イジェクト部１４の電磁石１４ｇに電流が供給され、イジェクト部１４によりプラグ２１がイジェクトされる。
【００５８】
警告表示後、操作表示部１３によりイジェクトを許可しない指示が入力されると（ステップＳ２０；ＮＯ）、通信開始コマンドの受信が待機され、受信されると（ステップＳ２１；ＹＥＳ）、ステップＳ１４に戻り、以降の処理を繰り返し実行する。
【００５９】
一方、プラグ２１がプラグ差込口１５ａに差し込まれても、通信開始コマンドが受信されることなく（ステップＳ１２；ＮＯ）、イジェクト指示が入力された場合は（ステップＳ１３；ＹＥＳ）、処理はステップＳ２２に移行し、イジェクト部１４の電磁石１４ｇに電流が供給され、イジェクト部１４によりプラグ２１がイジェクトされる。
【００６０】
図５に、上述したイジェクト処理ＢのステップＳ１９で操作表示部１３に表示される警告表示画面１３１の一例を示す。図５に示すように、警告表示画面１３１には、「５分間注文がないのでプラグをイジェクトします」等の警告が表示されるとともに、イジェクトを許可を入力するためのボタン１３１ａとイジェクトを許可しないこと入力するためのボタン１３１ｂが表示される。ここでは、通信が一旦終了してからの所定時間が５分間に設定されている例を示しているが、この所定時間は操作表示部１３から設定できるようにしてもよい。
【００６１】
なお、プリント装置１に音声出力部を備える構成とし、操作表示部１３の警告表示とともに、警告音を発生させると、より一層利用者の関心を引くことができるので望ましい。
【００６２】
以上説明したように、プリント装置１によれば、イジェクト処理Ｂを実行することにより、ケーブル２を介してデジタルカメラ３からの通信終了コマンドが受信された後、所定時間はプラグ２１のイジェクトは行わず、所定時間経過しても次の通信が開始されなければ、イジェクトをする警告が表示され、ユーザの許可後にイジェクト部１４によりプラグ２１がイジェクトされる。従って、複数の通信を続けて行いたい場合に、１回の通信が終了する毎にイジェクトが行われることがなくなり、使い勝手が向上する。
【００６３】
なお、上述したイジェクト処理Ａとイジェクト処理Ｂは、設定により制御が切り替えられる構成とすることが望ましい。これにより、写真店等において顧客が混み合っている場合や顧客の回転率を向上したい場合にイジェクト処理Ａを実行するように設定し、空いている場合は複数の注文に応じることができるようにイジェクト処理Ｂを行うようにすれば、状況に応じた制御を行うことができる。
【００６４】
また、上記実施の形態においては、ケーブル２を差し込む機器としてプリント装置１を例に取り説明したが、これに限定されず、例えばパソコン等、プラグを差し込むことが可能な電子機器に広く適用することができる。
【００６５】
例えば、デジタルカメラからパソコンにデータを転送する場合に、上述した本発明を適用し、イジェクト処理Ａの制御を実施した場合、ユーザは通信の終了を容易に認識することができるとともに、コードをつかんでパソコンからプラグを引き抜くことによるケーブルの損傷を軽減することができる。また、プラグを抜くのを忘れてデジタルカメラを移動させようとしてコードがちぎれたりデジタルカメラ３破損したりするのを防止することができる。
【００６６】
また、デジタルカメラからパソコンにデータを転送する場合に、本発明を適用し、イジェクト処理Ｂの制御を実施した場合、１回プラグを差し込むことで、複数の通信を行うことができ、使い勝手が向上する。
【００６７】
なお、イジェクト部１４の構成については、一例を示したものであり、特に限定されるものではない。
【００６８】
〔第２の実施の形態〕
次に、図を参照して本発明の第２の実施の形態について説明する。
本実施の形態においては、図６に示すように、ケーブル２のデジタルカメラ３側のプラグ２３にイジェクト部２４を設けた構成となっている。また、ケーブル２のプリント装置１側のプラグ２１には、図７に示すように、電源部２１ａが設けられ、プリント装置１の信号線Ｌから入力された電流を、コード２２のデータ伝送路２２ａとは別のＤＣライン２２ｂにより電磁石２４ｅに供給できるようになっている。プリント装置１のその他の構成は、上記第１の実施の形態で図２を用いて説明したのと同様であるので説明を省略する。
【００６９】
ここで、イジェクト部２４の構成及びイジェクト動作について図６の模式図を参照して説明する。
まず、プラグ２３をデジタルカメラ３のプラグ差込口３０に差し込むために、プラグ２３を矢印Ａの方向に移動させると、図６に示すようにプラグ２３に図示しないネジ等で固着された係止片２４ｆがバネ２４ｃを押し縮めながらプラグ差し込み方向と平行に移動する。このとき、金属からなる係止片２４ｂは、係止部２４ａと接触して押し下げられる。プラグ２３がプラグ差込口３０に完全に差し込まれると、図６に示す状態となり、係止片２４ｂは係止部２４ａを完全に通過し、係止片２４ｂはバネ２４ｄの働きによって元の位置に戻る。この元の位置に復帰した係止片２４ｂと係止部２４ａが係合することにより、プラグ２３は差し込まれた状態に保持される。
【００７０】
コントローラ１１により電源部２１ａ及びＤＣライン２２ｂを介して電磁石２４ｅに電流が供給されると、係止片２４ｂは電磁石２４ｅに引き付けられ、係止部２４ａとの係合が解除される。これにより、係止片２４ｆはバネ２４ｃの付勢力によりプラグ２３の差し込み方向とは逆方向へ移動する。この係止片２４ｆの働きにより、プラグ２３はプラグ差込口３０からイジェクトされる。
【００７１】
コントローラ１１がイジェクト部２４を制御するために実行する処理は、第１の実施の形態において説明したイジェクト処理Ａまたはイジェクト処理Ｂと同様である。但し、本実施の形態においては、イジェクト処理ＡのステップＳ５又はイジェクト処理ＢのステップＳ２２においては、コントローラ１１により、電源部２１ａ及びＤＣライン２２ｂを介して電磁石２４ｅに電流が供給されることにより、イジェクト部２４がイジェクト動作を行い、プラグ２３がイジェクトされる。その他は上述したイジェクト処理Ａまたはイジェクト処理Ｂと同様であるので、説明は省略する。
【００７２】
本第２の実施の形態においては、上述した第１の実施の形態における効果を奏するとともに、デジタルカメラ側に差し込むプラグにイジェクト部を設けたので、カメラにプラグが差し込まれたままカメラを移動させようとしてコードがちぎれたりカメラが破損したりすることを防ぐことができる。
【００７３】
なお、データの送受信を行う機器は、デジタルカメラとプリント装置に限定されず、データ通信ケーブルを用いた電子機器間の通信に適用することができる。また、プラグのイジェクト部の構成は、特に限定されない。
【００７４】
また、本実施の形態においては、プリント装置１におけるイジェクト部１４がない構成としても動作することが可能である。イジェクト部１４が備えられている場合には、コントローラ１１は、電源部２１ａ及びＤＣライン２２ｂを介して電磁石２４ｅに電流を供給するとともに、電磁石１４ｇにも電流を供給することで、プリント装置１側とデジタルカメラ３側の双方のイジェクトを行うことができる。双方のイジェクトを行うようにコントローラ１１により制御するようにしてもよいし、ケーブル２の構成にかかわらず、常にプリント装置１側のイジェクト部１４のみを制御してイジェクト部１４により優先的にイジェクトを行うようにしてもよい。このようにすると、ケーブル２とプリント装置１の双方でイジェクト機構を有する場合と、ケーブル２にイジェクト機構を有していない場合とで制御を区別する必要がなくなる。
【００７５】
また、プリント装置１及びケーブル２双方において上述したイジェクト部１４、イジェクト部２４のような構成をもたない場合、コントローラ１１の制御により、ケーブル２を介して通信終了コマンドを受信した際に、操作表示部１３に警告を表示することで、ユーザは通信終了を認識し、ケーブル２を引き抜くタイミングを知ることができるようになる。また、コントローラ１１の制御により、通信終了コマンドを受信後、所定時間経過しても次の通信が開始されない場合に、操作表示部１３に警告を表示することにより、ユーザにコードの引き抜きを促し、コードの置き忘れ等を防止することができる。また、プリント装置１に音声出力部を備える構成とし、警告音をならすようにすると、ユーザの関心を引くことができるので望ましい。
【００７６】
また、上述した第１の実施の形態及び第２の実施の形態においては、ケーブル２を介してプリント装置１が通信終了コマンドを受信した際、あるいは通信終了コマンドを受信してから所定時間が経過した際に、通信が終了したものとしてイジェクト部１４、２４がプラグをイジェクトするようにコントローラ１１により制御しているが、コントローラ１１は、他の条件により通信が終了したものとみなしてイジェクトを行うように制御してもよい。
【００７７】
例えば、ケーブル２が接続されると、コントローラ１１は、デジタルカメラ３に対して送信要求があるかを問い合わせるポーリングを行い、デジタルカメラ３がそれに応答することにより通信が開始されるが、ポーリングを行った後所定時間が経過してもデジタルカメラ３から応答がない場合に、通信が終了したものとみなしてイジェクト部１４によりプラグ２１又は２３をイジェクトするようにイジェクト部１４又は２４を制御するようにしてもよい。
【００７８】
また、ケーブル２がＵＳＢケーブルやＩＥＥＥ１３９４ケーブルの場合は、ケーブル２にはデータ伝送路である通信信号のためのラインと、電源供給のためのラインが存在する。そこで、データ通信ケーブルを介しての電源供給が切れた場合に、電源供給を受ける側でプラグのイジェクトを行うようにしてもよい。実施例としては、例えば、プリント装置１を電源供給元、デジタルカメラ３を電源供給先（電源供給を受ける側）とし、電源供給先となるデジタルカメラ３にイジェクト部３４を備える構成とする。図８の模式図に示すように、プリント装置１からの電源が供給される電源供給ライン２２Ｃ、２２ｄをデジタルカメラ３内の信号線Ｌ１、Ｌ２に接続する。信号線Ｌ１、Ｌ２は、デジタルカメラ３の電源として各部に接続されて電源供給を行うとともに、電磁石３４ｇに接続され、電流を供給する。プラグ２３がプラグ差込口３０に挿入されると、プラグ２３の働きにより係止片３４ａがバネ３４ｄに逆らってプラグ差し込み方向へ移動するとともに、電磁石３４ｇに電流が流れる。すると、磁性をもつ係止片３４ｃは電磁石３４ｇに引き付けられ、係止片３４ｃと係止片３４ｂが係合することにより係止片３４ａ及び３４ｂの位置が保持される。これによりプラグ２３は差し込まれた状態で保持される。プリント装置１からの電源供給が切れ、電磁石３４ｇに電流が流れなくなると、係止片３４ｃはバネ３４ｆの働きにより支持体３４ｈの方向へ移動する。これにより係止片３４ｂと３４ｃの係合は解除され、係止片３４ａ及び３４ｂはバネ３４ｄの付勢力によりプラグ２３の差込方向とは逆方向へ移動する。この係止片３４ａの働きにより、プラグ２３はプラグ差込口３０からイジェクトされる。なお、ケーブル２のデータ伝送路の図示は省略している。
【００７９】
図８に示す構成においては、電源供給を受けている間はイジェクト部３４の電磁石３４ｇに常に電流が流れている状態となる。この電流が大きすぎると、デジタルカメラ３の機能を動かす十分な電力が供給されなくなり、また発熱の問題もある。そこで、電磁石３４ｇは数十ミリアンペア程度の少ない電流で動作することが望ましい。また、供給された電力を蓄電池等に一時備えておいてイジェクト部３４に使用してもよい。これにより、イジェクトのための電源を、ケーブル２の電源供給線を利用して、電源供給先の機器の使用の妨げにならない範囲において利用することができる。
【００８０】
また、ケーブル２がＵＳＢケーブルやＩＥＥＥ１３９４ケーブルの場合、電源供給元から電源を供給しているにも拘わらず、電源供給先において所定時間電流が消費されなかった場合には、イジェクト部を制御してイジェクトを行うようにしてもよい。実施例として、例えば、電源供給元をプリント装置１、電源供給先をデジタルカメラ３とする。イジェクト部としては、図２のイジェクト部１４、図６のイジェクト部２４、図８のイジェクト部３４の何れを備える構成としてもよい。そして、図９に示すようにプリント装置１に電流計Ａを配置して電源供給ライン２２ｃ、２２ｄに流れる電流値を計測する。コントローラ１１は、電流値を監視し、電流値が０又は数ｍアンペア程度の微小電流が検出されると計時を開始して、所定時間（例えば、５分間）電流値が０又は数ｍアンペア程度の微小電流であれば電源供給先のデジタルカメラ３は停止しているものとみなし、イジェクト部１４又はイジェクト部２４を制御してイジェクトを行う。図８に示したように、電源供給先であるデジタルカメラ３に供給した電源を利用したイジェクト部３４が設けられている場合は、コントローラ１１は、電源供給ライン２２ｃ、２２ｄへの電源供給を停止することによりイジェクトが行われるように制御する。
【００８１】
また、電源供給先の機器からイジェクトコマンドが発行された場合は、供給している電源が消費されていてもイジェクトを行うように制御を行ってもよい。実施例として、例えば、電源供給先をデジタルカメラ３、電源供給元をプリント装置１とする。イジェクト部としては、図２のイジェクト部１４、図６のイジェクト部２４、図８のイジェクト部３４の何れを備える構成としてもよい。デジタルカメラ３は画像ファイルの送信が終了すると、表示部に図１０に示すイジェクト指示画面を表示させる。図１０に示すように、イジェクト指示画面には「ファイルの送信が終わりました。プラグをイジェクトして撮影を開始しますか」等のイジェクト指示するか否かの選択画面が表示される。デジタルカメラ３の操作部から「はい」が入力されると、デジタルカメラ３はイジェクトコマンドをプリント装置１へ送信するとともに撮影モードへ移行する。プリント装置１のコントローラ１１は、デジタルカメラ３からイジェクトコマンドを受信すると、デジタルカメラ３により電源供給ライン２２ｃ、２２ｄにより供給した電流が消費されていても、イジェクト部１４又はイジェクト部２４を制御してイジェクトを行う。図８に示したように、電源供給先であるデジタルカメラ３に供給した電源を利用したイジェクト部３４が設けられている場合は、コントローラ１１は、電源供給ライン２２ｃ、２２ｄへの電源供給を停止することによりイジェクトが行われるように制御する。このようにすると、デジタルカメラ３において、通信終了後直ちに撮影に移行したい場合に便利である。
【００８２】
なお、上記各実施例において、データ送信要求の問い合わせ元、電源供給元をプリント装置１、データ送信要求の問い合わせ先、電源供給先をデジタルカメラ３として説明したが、データ送信要求の問い合わせ元、電源供給元をデジタルカメラ３としてもよい。また、データの送受信を行う機器は、プリント装置とデジタルカメラに限定されず、データ通信ケーブルを用いた電子機器間の通信に適用することができる。イジェクト部の構成についても、上述した構成に限定されない。
【００８３】
また、図８に示す構成のイジェクト部をデジタルカメラ３が備えるとき、コントローラ１１により図３又は図４に示すイジェクト制御を実行し、プリント装置１１が通信終了後、あるいは通信が終了してから所定時間が経過しても通信が開始されない場合に、電磁石３４ｇへの電源供給を停止してプラグ２３をプラグ差込口３０からイジェクトするように制御するようにするようにしてもよい。
【００８４】
コントローラ１１によるイジェクト部１４、２４、３４の制御は、何れか一つを行っても良いし、組み合わせて行っても良い。また、イジェクトのための制御は単独で行っても良いし、組み合わせて行ってもよい。
【００８５】
その他、プリント装置１及びケーブル２の細部構成及び細部動作に関しても、本発明の趣旨を逸脱することのない範囲で適宜変更可能である。
【００８６】
【発明の効果】
請求項１に記載の発明の電子機器によれば、プラグ差込口に差し込まれたプラグをプラグ差込口からイジェクトするイジェクト部と、イジェクト部の動作を制御する制御部とを備えている。従って、イジェクト部を制御して差し込まれたプラグを自動的にイジェクトするので、ケーブルのコード部分を手でつかんで電子機器から引き抜くことがなくなり、ケーブルの破損を防止することができる。
【００８７】
請求項２に記載の発明によれば、データ通信ケーブルを介して通信終了コマンドを受信した際に、イジェクト部がプラグ差込口に差し込まれた該データ通信ケーブルのプラグをプラグ差込口からイジェクトするように制御する。従って、プラグがイジェクトされることでユーザは通信の終了を容易に認識することができ、ケーブルをはずすタイミングがわかりづらいといった問題も解消される。
【００８８】
請求項３に記載の発明によれば、データ通信ケーブルを介して通信終了コマンドを受信した後所定時間が経過しても次の通信が開始されない場合に、イジェクト部がプラグ差込口に差し込まれた該データ通信ケーブルのプラグをプラグ差込口からイジェクトするように制御する。従って、データ通信ケーブルを介して複数の通信を続けて行いたい場合に、１回の通信が終了する毎にデータ通信ケーブルのプラグが電子機器からイジェクトされることがなくなり、使い勝手が向上する。
【００８９】
請求項４に記載の発明のプラグによれば、外部からの制御に応じて電子機器のプラグ差込口に差し込まれたプラグをプラグ差込口からイジェクトする。従って、外部からの制御により差し込まれたプラグを自動的にイジェクトするので、ケーブルのコード部分を手でつかんで電子機器から引き抜くことがなくなり、ケーブルの破損を防止することができる。
【００９０】
請求項５に記載の発明によれば、データ通信ケーブルを介して通信終了コマンドが受信先の電子機器に受信された際に、受信先の電子機器からの制御に応じてプラグ差込口に差し込まれたデータ通信ケーブルのプラグをプラグ差込口からイジェクトする。従って、プラグがイジェクトされることでユーザは通信の終了を容易に認識することができ、ケーブルをはずすタイミングがわかりづらいといった問題も解消される。
【００９１】
請求項６に記載の発明によれば、データ通信ケーブルを介してデータ受信先の電子機器により通信終了コマンドが受信された後所定時間が経過しても次の通信が開始されない場合に、データ受信先の電子機器から送信される制御信号に基づいて、プラグ差込口に差し込まれたデータ通信ケーブルのプラグをプラグ差込口からイジェクトする。従って、データ通信ケーブルを介して複数の通信を続けて行いたい場合に、１回の通信が終了する毎にデータ通信ケーブルのプラグが電子機器からイジェクトされることがなくなり、使い勝手が向上する。
【００９２】
請求項７に記載の発明によれば、請求項４〜６の何れか一項に記載のプラグがプラグ差込口に差し込まれた場合、電子機器のイジェクト部がプラグのイジェクト部に対して優先的にイジェクト動作を行うように制御する。従って、プラグと電子機器の双方でイジェクト機構を有する場合と、プラグにイジェクト機構を有していない場合とで制御を区別する必要がなくなる。
【００９３】
請求項８に記載の発明によれば、データ通信ケーブルを介して通信終了コマンドを受信した際に、プラグ差込口に差し込まれたデータ通信ケーブルのプラグをイジェクトする動作をユーザに促すための警告を発する。従って、ユーザは通信の終了を容易に認識することができ、ケーブルをはずすタイミングがわかりづらいといった問題も解消される。
【００９４】
請求項９に記載の発明によれば、データ通信ケーブルを介して通信終了コマンドを受信した後、所定時間が経過しても次の通信が開始されない場合に、プラグ差込口に差し込まれたデータ通信ケーブルのプラグをプラグ差込口からイジェクトする動作をユーザに促すための警告を発する。従って、データ通信ケーブルを介して複数の通信を続けて行いたい場合に、１回の通信が終了する毎に警告が発せられることがなくなり、使い勝手が向上する。
【００９５】
請求項１０に記載の発明によれば、データ通信ケーブルを介して電源供給を受ける電子機器において、データ通信ケーブルを介しての電源供給が切れた場合に、差し込まれたプラグをプラグ差込口から自動的にイジェクトする。従って、電源供給が切れた場合は通信が行われないものとみなしてイジェクト部を制御して差し込まれたプラグを自動的にイジェクトするので、ケーブルのコード部分を手でつかんで電子機器から引き抜くことがなくなり、ケーブルの破損を防止することができる。
【００９６】
請求項１１に記載の発明によれば、データ通信ケーブルのプラグが電子機器から自動的にイジェクトされるように制御するので、ケーブルのコード部分を手でつかんで電子機器から引き抜くことがなくなり、ケーブルの破損を防止することができる。
【００９７】
請求項１２に記載の発明によれば、データ通信ケーブルを介して通信終了コマンドを受信した際に、イジェクトを行うように制御する。従って、プラグがイジェクトされることでユーザは通信の終了を容易に認識することができ、ケーブルをはずすタイミングがわかりづらいといった問題も解消される。
【００９８】
請求項１３に記載の発明によれば、データ通信ケーブルを介して通信終了コマンドを受信した後所定時間が経過しても次の通信が開始されない場合に、イジェクトを行うように制御する。従って、データ通信ケーブルを介して複数の通信を続けて行いたい場合に、全ての通信が終了した後にデータ通信ケーブルのプラグが自動的にイジェクトされるので、使い勝手が向上する。
【００９９】
請求項１４に記載の発明によれば、データ通信ケーブルを介して外部の電子機器に送信要求があるか否かを問い合わせた後所定時間が経過しても外部の電子機器からの応答が受信されない場合に、少なくとも一つのイジェクト部がイジェクトを行うように制御する。従って、所定時間通信が行われない時にプラグを自動的にイジェクトすることができる。
【０１００】
請求項１５に記載の発明によれば、所定時間電流検出部により電源供給線からの電流が消費されていないことが検出された場合に、イジェクトを行うように制御する。従って、相手先が動作していないときには通信が行われていないものとみなしてプラグを自動的にイジェクトすることができる。
【０１０１】
請求項１６に記載の発明によれば、データ通信ケーブルを介して外部の電子機器からイジェクトコマンドを受信した際に、イジェクトを行うように制御する。従って、外部機器において通信後すぐに他の動作に入る場合に、外部機器側からイジェクトを行うことができる。
【図面の簡単な説明】
【図１】本発明に係るプリント装置１の外観を示す図である。
【図２】図１のプリント装置１内部の要部構成を模式的に示す図である。
【図３】図２のコントローラ１１により実行されるイジェクト処理Ａを示すフローチャートである。
【図４】図２のコントローラ１１により実行されるイジェクト処理Ｂを示すフローチャートである。
【図５】図１の操作表示部１３に表示される警告表示画面１３１を示す図である。
【図６】本発明の第２の実施の形態に係るケーブル２のイジェクト部２４の構成を模式的に示す図である。
【図７】本発明の第２の実施の形態に係るプリント装置１の機能的構成を模式的に示す図である。
【図８】本発明に係るデジタルカメラ３のイジェクト部３４の構成を模式的に示す図である。
【図９】本発明に係るプリント装置１において電源供給先であるデジタルカメラ３における電流消費を検出する検出方法を模式的に示す図である。
【図１０】本発明に係るデジタルカメラ３のイジェクト指示画面の一例を示す図である。
【符号の説明】
１    プリント装置
１１    コントローラ
１２    電源スイッチ
１３    操作表示部
１４    イジェクト部
１４ａ、１４ｂ、１４ｃ    係止片
１４ｄ、１４ｆ    バネ
１４ｅ    支持部
１４ｇ    電磁石
１５    コネクタ部
１５ａ    プラグ差込口
１６    信号インターフェース
１７    画像処理部
１８    プリント部
１９    金銭管理部
２    ケーブル
２１、２３    プラグ
２２    コード
２４    イジェクト部
２４ａ、２４ｂ、２４ｆ    係止片
２４ｃ、２４ｄ    バネ
２４ｅ    電磁石
３    デジタルカメラ
３０    プラグ差込口
３４    イジェクト部
３４ａ、３４ｂ、３４ｃ    係止片
３４ｄ、３４ｆ    バネ
３４ｅ    支持部
３４ｇ    電磁石
３４ｈ    支持体
【図１】
2004281244.tif 000003
【図２】
2004281244.tif 000004
【図３】
2004281244.tif 000005
【図４】
2004281244.tif 000006
【図５】
2004281244.tif 000007
【図６】
2004281244.tif 000008
【図７】
2004281244.tif 000009
【図８】
2004281244.tif 000010
【図９】
2004281244.tif 000011
【図１０】
2004281244.tif 000012